(57)【特許請求の範囲】
【請求項１】
開口部に格子状に架設されたチャンネル材等の支持枠部材上に敷設される大型集塵機、または気密性を要する装置室の開口部用の蓋であって、
ａ．側縁部が前記支持枠部材上に載置される略平板状の内蓋と、ｂ．下端部が前記支持枠部材上に載置され前記内蓋の周囲を囲繞する側壁と、ｃ．側縁部が前記側壁の上端部に載置される略平板状の外蓋と、ｄ．前記外蓋及び前記内蓋並びに前記側壁により形成された空間である断熱材収納部に収納された断熱材と、を備え、
前記断熱材が、
前記側壁の内面に当接させて環状に配設され耐熱性クロスで被覆された被覆ブロックと、前記被覆ブロックの内側に配設された繊維質断熱材と、を備えていることを特徴とする大型集塵機、または気密性を要する装置室の開口部用の蓋。
【請求項２】
上端部が前記外蓋の下面に配設され下端部が前記内蓋の上面に配設された連結手段と、前記側壁の下部周縁部に形設された被押圧部と、前記被押圧部を押圧し前記支持枠部材に前記側壁の下端部を前記支持枠部材に係合して押圧する側壁押圧手段と、を備えていることを特徴とする請求項１に記載の大型集塵機、または気密性を要する装置室の開口部用の蓋。
【請求項３】
開口部に格子状に架設され上面に側壁が固定された又は一体に形成されたチャンネル材等の支持枠部材上に敷設される大型集塵機、または気密性を要する装置室の開口部用の蓋であって、
ａ．側縁部が前記支持枠部材上に載置される略平板状の内蓋と、ｂ．側縁部が前記側壁の上端部に載置される略平板状の外蓋と、ｃ．前記外蓋及び前記内蓋並びに前記側壁により形成された空間である断熱材収納部に収納された断熱材と、を備え、
前記断熱材が、
前記側壁の内面に当接させて環状に配設され耐熱性クロスで被覆された被覆ブロックと、前記被覆ブロックの内側に配設された繊維質断熱材と、を備えていることを特徴とする大型集塵機、または気密性を要する装置室の開口部用の蓋。
【請求項４】
上端部が前記外蓋の下面に配設され下端部が前記内蓋の上面に配設された連結手段を備えていることを特徴とする請求項３に記載の大型集塵機、または気密性を要する装置室の開口部用の蓋。
【請求項５】
前記連結手段が、連結ロッド又は弾性体を有する弾性連結機構であることを特徴とする請求項２又は４に記載の大型集塵機、または気密性を要する装置室の開口部用の蓋。
【請求項６】
前記外蓋の外周縁部又は外蓋縁部に当接し又は係止され前記支持枠部材又は前記側壁押圧手段若しくは隣接する前記側壁に両端が配設された部材に係合して前記側壁の上端部に前記外蓋の側縁部を押圧する外蓋引張手段を備えていることを特徴とする請求項１乃至５の内何れか一項に記載の大型集塵機、または気密性を要する装置室の開口部用の蓋。
【請求項７】
前記断熱材が、
環状に配設された前記被覆ブロックの内側に配設され耐熱性繊維で形成された繊維質断熱材からなる非被覆ブロックを備えていることを特徴とする請求項１乃至６の内何れか一項に記載の大型集塵機、または気密性を要する装置室の開口部用の蓋。
【発明の詳細な説明】
【０００１】
【発明の属する技術分野】
本発明は、大型集塵機や気密性を要する装置室等の開口部に設置されている蓋に関する。特に、火力発電やゴミ焼却炉、工場等で発生する排ガスから粉塵を除去する集塵機に好適に用いられる大型集塵機、または気密性を要する装置室の開口部用の蓋に関する。
【０００２】
【従来の技術】
従来から、有毒ガスや放射性物質を扱う装置室は安全性を考慮して気密に構成されている。メンテナンス時には屋根に配設された開口部の蓋を取り外して作業が行われる。また、火力発電やゴミ焼却炉、工場等で発生する排ガスから粉塵を除去する集塵機において、集塵機へのリテーナの取り付け作業やバグフィルタの交換作業は、集塵機の上部に配設されている集塵機用蓋を取り外して行われている。
また、集塵機の内部は排ガスにより高温になるため集塵機の内部と外気との間に多大な温度差が生じ、延いては集塵機用蓋の内部側に結露が生じ、集塵機本体や集塵機用蓋が腐食するという問題点を有していた。このような集塵機本体や集塵機用蓋の腐食を防止するため、近年、上面が外気に接する外蓋と、該外蓋の下方に配設された内蓋と、該外蓋と該内蓋との間に介装された断熱材と、を備えることにより、外気の温度と集塵機の内部の温度とを遮断した集塵機用蓋が開発されている。
【０００３】
以下、従来の蓋について、集塵機用蓋を例に図面を用いて説明する。
図１２は断熱材が配設されていない状態の従来の集塵機用蓋の一部破断斜視図であり、図１３は断熱材収納部に配設される断熱材の一部破段要部斜視図であり、図１４は集塵機の開口部に複数の従来の集塵機用蓋が敷設された状態を示す要部斜視図であり、図１５は図１４のＢ−Ｂ線における矢視要部断面図である。
図１２乃至図１５において、５０は従来の集塵機用蓋、５１は集塵機本体の上部の開口部に格子状に架設された断面が逆Ｕ字状のチャンネル材等の支持枠部材、５２は上端部にパッキン保持溝５２ａが形成され下端部が後述の断熱材収納部側に曲折された曲折部５２ｂが形成された側壁であり、曲折部５２ｂの角部が支持枠部材５１の上面の縁部に溶接されている。５３は後述の断熱材が保持される断熱材収納部であり、四方に配設された側壁５２により囲繞されている。５４ａは断熱材収納部５３の上部を囲繞するようにしてパッキン保持溝５２ａに保持された上側パッキンであり、側壁５２の上端部と後述の外蓋縁部材の下面との間に介設されるとともに側壁５２の上端部と後述の外蓋縁部材の下面との間を密閉する。５４ｂは断熱材収納部５３の下部を囲繞するようにして側壁５２の曲折部５２ｂの上面に貼付された下側パッキンであり、曲折部５２ｂの上面と後述の内蓋との間に介設されるとともに曲折部５２ｂの上面と後述の内蓋との間を密閉する。５５は断熱材収納部５３の下方に配設された内蓋であり、側壁５２の曲折部５２ｂに貼付された下側パッキン５４ｂの上面にボルト５６ａとナット５６ｂとにより側縁部が螺着されている。５７は断熱材収納部５３の上方に配設された外蓋、５７ａは外蓋５７の下面の側縁部に固定されたアングル部材からなる外蓋縁部材、５７ｂは外蓋５７の下面に固定された鋼板等からなる外蓋補強部材である。外蓋５７は外蓋縁部材５７ａが上側パッキン５４ａに当接するように配設される。５８は両端が隣接した側壁５２の側部に各々溶接され中心部にボルト孔を有する鋼板からなるボルト頭部係止部材、５９はボルト頭部係止部材５８の上方に配設され中心部にボルト孔を有する鋼板からなる押圧部材であり、両端の下面が隣接する外蓋５７の上面の縁部を各々下方へ押圧する。６０ａはボルト頭部がボルト頭部係止部材５８のボルト孔に係止され押圧部材５９の上面で先端部に係合ナット６０ｂが螺合された引張ボルトであり、押圧部材５９は引張ボルト６０ａと係合ナット６０ｂとによりボルト頭部係止部材５８側へ引っ張られる。６１は耐熱性繊維で形成された断熱材収納部５３に収納された繊維質断熱材、６１ｂは繊維質断熱材６１ａ全体に被覆された耐熱性クロスである。耐熱性クロス６１ｂを繊維質断熱材６１ａに被覆することにより、繊維質断熱材６１ａが側壁５２等との摩擦で型崩れを起こすことを防止する。
【０００４】
以上のように構成された従来の集塵機用蓋の取り付け方法及び取り外し方法について、以下図面を参照しながら説明する。
（１）取り付け方法
まず、各々の支持枠部材５１の縁部に側壁５２の曲折部５２ｂの角部を溶接し、四方を側壁５２に囲繞された断熱材収納部５３を形成する。この際、側壁５２の隣接する端部どうしをシール溶接する。次いで、断熱材収納部５３の下部を囲繞させるように、曲折部５２ｂの上面に下側パッキン５４ｂを貼付する。次いで、ボルト５６ａ及びナット５６ｂを用いて、内蓋５５の側縁部を側壁５２の曲折部５２ｂの上面に下側パッキン５４ｂを介して螺着する。次いで、断熱材６１を断熱材収納部５３内に配設する。次いで、断熱材収納部５３の上部を囲繞させるように、パッキン保持溝５２ａに上側パッキン５４ａを嵌挿する。次いで、外蓋５７の側縁部に固定された外蓋縁部材５７ａが上側パッキン５４ａ上に載置されるように外蓋５７を配設する。次いで、隣接する側壁５２の側部にボルト頭部係止部材５８の両端を各々溶接する。次いで、隣接する外蓋５７の上面に押圧部材５９を載置・架設する。次いで、ボルト頭部係止部材５８のボルト孔及び押圧部材５９のボルト孔に引張ボルト６０ａを挿入し、押圧部材５９の上面に突出した引張ボルト６０ａの先端部に係合ナット６０ｂを螺合させる。係合ナット６０ｂを螺合させることにより、押圧部材５９が下方に押圧され、延いては、隣接する外蓋５７の上面が下方へ押圧され、側壁５２の上端部と外蓋５７の外蓋縁部材５７ａの下面とが上側パッキン５４ａを介して密閉される。
（２）取り外し方法
まず、係合ナット６０ｂを引張ボルト６０ａから外し押圧部材５９を外す。次いで、外蓋５７を外し、断熱材６１を断熱材収納部５３から取り出す。次いで、ボルト５６ａ及びナット５６ｂを取り外し、内蓋５５を開ける。内蓋５５を開けたら、バグフィルタ（図示せず）の交換等の集塵機の内部のメンテナンス等を行う。
【０００５】
しかしながら、上記従来の集塵機用蓋は以下の課題を有していた。
（１）断熱材６１は、繊維質断熱材６１ａの全体を耐熱性クロス６１ｂで被覆して形成されるので、耐熱性クロス６１ｂの使用量が多く、生産性に欠けるという課題を有していた。
（２）断熱材６１は、断熱材収納部５３と略同一の大きさに形成されているので、断熱材６１を断熱材収納部５３に収納しづらく、作業性に欠けるという課題を有していた。
（３）集塵機用蓋５０を集塵機に取り付ける際に、支持枠部材５１の縁部に側壁５２の曲折部５２ｂを溶接する溶接作業を、集塵機の開口部に敷設する全ての集塵機用蓋５０に対して行うため多大な労働力を必要とし作業性に欠けるという課題を有していた。
（４）支持枠部材５１の縁部及び側壁５２の曲折部５２ａの角部の略全部を溶接することにより、支持枠部材５１や側壁５２に熱膨張による歪みが生じるので、該歪みを修正する作業に労力がかかり、作業性に欠けるという課題を有していた。
（５）集塵機用蓋５０を集塵機に取り付ける際に、内蓋５５の側縁部を側壁５２の曲折部５２ｂに多数のボルト５６ａ及びナット５６ｂを用いて螺着する螺着作業を、集塵機の開口部に敷設する全ての集塵機用蓋５０に対して行うため多大な労働力を必要とし作業性に欠けるという課題を有していた。
（６）集塵機用蓋５０を集塵機から取り外す際に、内蓋５５の側縁部に配設された多数のボルト５６ａ及びナット５６ｂを取り外す作業を、集塵機の開口部に敷設された全ての集塵機用蓋５０に対して行うため多大な労働力を必要とし作業性に欠けるとともにメンテナンス性に欠けるという課題を有していた。
（７）外蓋５７，断熱材６１，内蓋５５に対して、別々に取り付け作業及び取り外し作業を行わなければならないので、多大な労働力を必要とし作業性に欠けるとともにメンテナンス性に欠けるという課題を有していた。
【０００６】
本発明は上記従来の課題を解決するもので、大型集塵機等の蓋の取り付け作業及び取り外し作業が容易で、作業性に優れるとともに集塵機の各機器のメンテナンス性に優れ、施工性に優れた大型集塵機、または気密性を要する装置室の開口部用の蓋を提供することを目的とする。
【０００７】
【課題を解決するための手段】
上記課題を解決するために本発明の大型集塵機、または気密性を要する装置室の開口部用の蓋は、以下の構成を有している。
【０００８】
本発明の請求項１に記載の大型集塵機、または気密性を要する装置室の開口部用の蓋は、開口部に格子状に架設されたチャンネル材等の支持枠部材上に敷設される大型集塵機、または気密性を要する装置室の開口部用の蓋であって、ａ．側縁部が前記支持枠部材上に載置される略平板状の内蓋と、ｂ．下端部が前記支持枠部材上に載置され前記内蓋の周囲を囲繞する側壁と、ｃ．側縁部が前記側壁の上端部に載置される略平板状の外蓋と、ｄ．前記外蓋及び前記内蓋並びに前記側壁により形成された空間である断熱材収納部に収納された断熱材と、を備え、前記断熱材が、前記側壁の内面に当接させて環状に配設され耐熱性クロスで被覆された被覆ブロックと、前記被覆ブロックの内側に配設された繊維質断熱材と、を備えている構成を有している。
【０００９】
この構成により、以下のような作用が得られる。
（１）断熱材の側壁と接する部分には耐熱性クロスに被覆された被覆ブロックが配置されるので、断熱材が側壁との摩擦により型崩れすることがなく、耐久性に優れる。
（２）断熱材を断熱材収納部に収納する際は、環状に被覆ブロックを配設し、その内側に繊維質断熱材を配設すれば良いので、断熱材の収納が容易であり、施工性に優れる。
被覆ブロックとしては、側壁に沿って環状に形成された一体型のもの、一辺毎に分割されたもの等が用いられる。複数に分割された被覆ブロックを用いた場合は、１ブロックあたりの大きさや重量が小さくなるので断熱材収納部に容易に収納することができ作業性に優れるので好ましい。
環状に配設された被覆ブロックの内側には、成形されていない耐熱性繊維、耐熱性繊維がバインダ等によりブロック状に成形されたもの等が配設される。
耐熱性繊維としては、ロックウールやガラスウール、セラミック繊維等の無機繊維等が用いられる。特に、ロックウールを用いた場合は、セラミック繊維より低原価で量産性に優れ、また、ガラスウールより熱伝導率が小さく断熱性に優れるので好ましい。
耐熱性クロスとしては、セラミック繊維性や高シリカ繊維性、ガラス繊維性、アラミド繊維性等の無機繊維性クロス等が用いられる。特に、ガラス繊維性を用いた場合は、低原価で量産性に優れ、充分な耐熱性を有するので好ましい。
内蓋や外蓋の形状は、支持枠部材の位置によって、矩形状や六角形状等の多角形状や円形状等に形成される。
外蓋の縁部には、強度を向上させるため、アングル材等により形成された外蓋縁部材を配設する場合もある。
外蓋の側縁部と側壁の上端部との間，側壁の下端部と支持枠部材の上面との間，内蓋の下面の側縁部と支持枠部材の上面との間には、ゴムパッキン等のシール部材が介設される。密閉性を高めるためである。
【００１０】
本発明の請求項２に記載の発明は請求項１に記載の大型集塵機、または気密性を要する装置室の開口部用の蓋であって、上端部が前記外蓋の下面に配設され下端部が前記内蓋の上面に配設された連結手段と、前記側壁の下部周縁部に形設された被押圧部と、前記被押圧部を押圧し前記支持枠部材に前記側壁の下端部を前記支持枠部材に係合して押圧する側壁押圧手段と、を備えている構成を有している。
【００１１】
この構成により、請求項１の作用に加え、以下のような作用が得られる。
（１）大型集塵機、または気密性を要する装置室の開口部用の蓋を集塵機本体等に取り付ける際、側壁押圧手段により、側壁の下端部が支持枠部材の上面に押圧されているので、側壁を取り付ける際の溶接作業が極めて少なく、大型集塵機、または気密性を要する装置室の開口部用の蓋の生産が従来の数分の１ででき生産性に優れるともに、溶接作業が極めて少ないので支持枠部材等の熱膨張による熱劣化が生じにくく耐久性に優れる。
（２）外蓋と内蓋が連結手段により連結されているので、外蓋，内蓋，断熱材を同時に取り付ける又は取り外すことができるので、開蓋閉蓋作業の作業性に優れるとともに、集塵機本体等のメンテナンス時の工期を著しく削減できメンテナンス性に優れる。
連結手段としては、金属製や合成樹脂製の棒状体、弾性体を有し上下に伸縮可能なもの等が用いられる。
側壁としては、少なくとも下端部を曲折されたものが好適に用いられる。支持枠部材上に安定して載置することができ、また、側壁押圧手段が被押圧部を下方へ押圧することにより側壁を支持枠部材に押圧しながら立設することができるためである。
【００１２】
請求項２に記載の前記側壁押圧手段が、ａ．両側部の下面が隣接する前記側壁の前記被押圧部の上面に各々当接する側壁押圧部材と、ｂ．前記側壁押圧部材の略中央部に穿設された押圧ボルト孔と、ｃ．前記押圧ボルト孔の下方の前記支持枠部材に穿設された雌螺子孔、又は、前記押圧ボルト孔の下方の前記支持枠部材に固定された押圧ナットと、ｄ．前記押圧ボルト孔に挿入されボルト頭部が前記押圧ボルト孔に係止され先端部が前記雌螺子孔又は前記押圧ナットに螺合される押圧ボルトと、を備えている構成を有している場合、以下のような作用が得られる。
【００１３】
（１）大型集塵機、または気密性を要する装置室の開口部用の蓋を集塵機本体に取り付ける際、押圧ボルトを押圧ナットに螺合させることにより、側壁押圧部材が支持枠部材に取り付けられるとともに、側壁の被押圧部が側壁押圧部材の脚部の下端部により押圧され、被押圧部の下面と支持枠部材の上面との間が密閉されるので、側壁を取り付ける際に溶接作業をする必要がなく、また、溶接作業を必要としないので支持枠部材の熱膨張による熱劣化が生じにくく作業性に優れる。
（２）大型集塵機、または気密性を要する装置室の開口部用の蓋を簡単な構成で確実に支持枠部材上に固定でき、気密性を向上できる。
（３）機構が簡単でかつ固定効果が確実に得られるとともに、大型集塵機、または気密性を要する装置室の開口部用の蓋の取り付け取り外し作業の作業性や検証作業の作業性を向上できる。
ここで、側壁押圧部材の形状としては、隣接する側壁の被押圧部に上面に両脚部の下端部が各々当接する逆Ｕ字状や両側部の下面が該被押圧部に当接する平板状等が用いられる。
【００１４】
本発明の請求項３に記載の大型集塵機、または気密性を要する装置室の開口部用の蓋は、開口部に格子状に架設され上面に側壁が固定された又は一体に形成されたチャンネル材等の支持枠部材上に敷設される大型集塵機、または気密性を要する装置室の開口部用の蓋であって、ａ．側縁部が前記支持枠部材上に載置される略平板状の内蓋と、ｂ．側縁部が前記側壁の上端部に載置される略平板状の外蓋と、ｃ．前記外蓋及び前記内蓋並びに前記側壁により形成された空間である断熱材収納部に収納された断熱材と、を備え、前記断熱材が、前記側壁の内面に当接させて環状に配設され耐熱性クロスで被覆された被覆ブロックと、前記被覆ブロックの内側に配設された繊維質断熱材と、を備えている構成を有している。
【００１５】
この構成により、以下のような作用が得られる。
（１）断熱材の側壁と接する部分には耐熱性クロスに被覆された被覆ブロックが配置されるので、断熱材が側壁との摩擦により型崩れすることがなく、耐久性に優れる。
（２）断熱材を断熱材収納部に収納する際は、環状に被覆ブロックを配設し、その内側に繊維質断熱材を配設すれば良いので、断熱材の収納が容易であり、施工性に優れる。
（３）側壁が予め支持枠部材に固定されているので、改めて側壁を配設する必要がなく、作業性に優れる。
（４）従来の大型集塵機、または気密性を要する装置室の開口部用の蓋の支持枠部材に溶接・固定されている側壁をそのまま利用することができるので、生産性に優れると共に汎用性に優れる。
ここで、外蓋の側縁部と側壁の上端部との間，側壁の下端部と支持枠部材の上面との間，内蓋の下面の側縁部と支持枠部材の上面との間には、ゴムパッキン等のシール部材が介設される。密閉性を高めるためである。
被覆ブロックの形状や耐熱性繊維や耐熱性クロス、外蓋、内蓋としては、請求項１と同様のものが用いられるので、その説明を省略する。
【００１６】
本発明の請求項４に記載の発明は請求項３に記載の大型集塵機、または気密性を要する装置室の開口部用の蓋であって、上端部が前記外蓋の下面に配設され下端部が前記内蓋の上面に配設された連結手段を備えている構成を有している。
【００１７】
この構成により、請求項３の作用に加え、以下のような作用が得られる。
（１）外蓋と内蓋が連結手段により連結されているので、外蓋，内蓋，断熱材を同時に取り付ける又は取り外すことができるので、開蓋閉蓋作業の作業性に優れるとともに、集塵機本体等のメンテナンス時の工期を著しく削減できメンテナンス性に優れる。
ここで、連結手段としては、金属製や合成樹脂製の棒状体、弾性体を有し上下に伸縮可能なもの等が用いられる。
【００１８】
本発明の請求項５に記載の発明は請求項２又は４に記載の大型集塵機、または気密性を要する装置室の開口部用の蓋であって、前記連結手段が、連結ロッド又は弾性体を有する弾性連結機構である構成を有している。
【００１９】
この構成により、請求項２又は４の作用に加え、以下のような作用が得られる。
（１）連結手段の構成部材が連結ロッドである場合、大型集塵機、または気密性を要する装置室の開口部用の蓋のメンテナンス性に優れるとともに生産性に優れる。
（２）連結手段の構成部材が連結ロッドである場合、断熱材の取り換え作業の作業性に優れる。
（３）連結手段が、弾性体を有する弾性連結機構である場合、大型集塵機、または気密性を要する装置室の開口部用の蓋を集塵機本体に取り付ける際、外蓋引張手段により外蓋を下方へ押圧することにより、外蓋は下方へ移動する。外蓋が下方へ移動することにより、弾性連結機構は伸縮させられる。伸縮させられた弾性連結機構の下端部が弾性体の復元力により内蓋の上面を押圧し、内蓋の下面と支持枠部材の上面が密閉される。よって、外蓋が外蓋引張手段により下方へ押圧されることにより、側壁の上端部と外蓋の下面の側縁部との密閉及び内蓋の下面の側縁部と支持枠部材の上面との密閉を同時にすることができるので、開蓋閉蓋作業の作業性に優れる。
（４）外蓋と内蓋が弾性連結機構により連結されている場合、外蓋，内蓋，断熱材を同時に取り付ける又は取り外すことができるので、開蓋閉蓋作業の作業性に優れるとともに、集塵機のメンテナンス性に優れる。
ここで、連結ロッドとしては、金属製や合成樹脂製のもの等が用いられる。
また、連結ロッドは外蓋又は内蓋の一方にロッド挿入孔を設け、他方の内側にロッドの先端の螺子部を該蓋の外側から螺合させるとともに、外側をシール部材でシールすることもできる。これにより、外蓋と内蓋の結合を容易にしかつ断熱材の取り換えも簡単にできる。
弾性体としては、コイルばねや筒状のゴム体が好適に用いられる。容易に配設することができるためである。
【００２２】
請求項５に記載の前記弾性連結機構が、ａ．上端部が前記外蓋の下面に直接固定された又は前記下面に固定されたナットに螺着された垂直弾性体保持部と、ｂ．下端部が前記内蓋に固定された筒状の棒状体挿入部と、ｃ．前記棒状体挿入部の上端面に穿設され、又は、上端に配設された蓋部に形成され、前記垂直弾性体保持部の先端部が遊挿される挿入孔と、ｄ．前記垂直弾性体保持部の上部側に配設又は形設された弾性体当接部材と、ｅ．前記垂直弾性体保持部の、前記弾性体当接部材と前記棒状体挿入部との間に環装された弾性体と、ｆ．前記垂直弾性体保持部の前記先端部に配設された抜脱防止部材と、を備えている構成を有している場合、以下のような作用が得られる。
【００２３】
（１）大型集塵機、または気密性を要する装置室の開口部用の蓋を集塵機本体に取り付ける際、外蓋引張手段により外蓋を下方へ押圧することにより、外蓋は下方へ移動する。外蓋が下方へ移動することにより、垂直弾性体保持部が下方へ移動し、これに伴い弾性体当接部材により、弾性体が伸縮させられる。伸縮させられた弾性体の復元力により、棒状体挿入部の上面が押圧され、延いては、棒状体挿入部の下面が内蓋の上面を押圧し、内蓋の下面と支持枠部材の上面が密閉される。よって、外蓋を外蓋引張手段により下方へ押圧することにより、側壁の上端部と外蓋の下面の側縁部との密閉及び内蓋の下面の側縁部と支持枠部材の上面との密閉を同時にすることができるので、大型集塵機、または気密性を要する装置室の開口部用の蓋の取り付け取り外し作業の作業性に優れる。
（２）大型集塵機、または気密性を要する装置室の開口部用の蓋を集塵機本体から取り外す際、外蓋を持ち上げることにより、抜脱防止部材の上面が棒状体挿入部の挿入孔の下部に係止され内蓋及び断熱材も同時に持ち上がるので、外蓋及び内蓋並びに断熱材を別々に取り外す必要がなく作業性に優れるとともに集塵機のメンテナンス時の工期の短縮化に優れる。
（３）内蓋の上面が伸縮された弾性体の復元力により、棒状体挿入部の下面に押圧される範囲であれば、外蓋を所望の位置で固定することができ、外蓋と内蓋の間隔の調節が自由にできる。
ここで、弾性体が当接する棒状体挿入部の上面は凹状に形成することが好ましい。弾性体を棒状体挿入部の上面に確実に当接させるためである。抜脱防止部材としては、外径が挿入孔の内径より大きいナットが好適に用いられる。垂直弾性体保持部の先端部に螺子溝を形成し該螺子溝に螺合させることにより、容易に配設することができるためである。
棒状体挿入部の上端に挿入孔を穿設した挿入部蓋体を螺合させる構成が望ましい。断熱材の取り換え時等に挿入部蓋体の螺合を解くだけで、外蓋と内蓋を簡単に外すことができる。
【００２４】
請求項５に記載の前記弾性連結機構が、ａ．前記内蓋に対して略水平に配設された水平弾性体保持部と、ｂ．前記水平弾性体保持部の両端側に各々係止又は螺着された弾性体支持部材と、ｃ．前記水平弾性体保持部の中央側に各々摺動自在に配設された摺動弾性体当接部材と、ｄ．前記水平弾性体保持部の、前記弾性体支持部材と前記摺動弾性体当接部材との間に環装された弾性体と、ｅ．一端が前記外蓋の下面に軸支され他端が前記摺動弾性体当接部材に軸支された上側リンク部材と、ｆ．一端が前記内蓋の上面に軸支され他端が前記摺動弾性体当接部材に軸支された下側リンク部材と、を備えている構成を有している場合、以下のような作用が得られる。
【００２５】
（１）大型集塵機、または気密性を要する装置室の開口部用の蓋を集塵機本体に取り付ける際、外蓋引張手段により外蓋を下方へ押圧することにより、外蓋は下方へ移動する。外蓋が下方へ移動することにより、上側リンク部材及び下側リンク部材により、摺動弾性体当接部材が、弾性体に付勢されながら水平弾性体保持部に沿って摺動する。伸縮させられた弾性体の復元力により、下側リンク部材の下面が内蓋の上面を押圧し、内蓋の下面と支持枠部材の上面が密閉される。よって、外蓋を外蓋引張手段により下方へ押圧することにより、側壁の上端部と外蓋の下面との密閉及び内蓋の下面と支持枠部材の上面との密閉を同時にすることができるので、作業性に優れる。
（２）大型集塵機、または気密性を要する装置室の開口部用の蓋を集塵機本体から取り外す際、外蓋が、上側リンク部材，摺動弾性体当接部材，下側リンク部材を介して、内蓋と連結されており、これにより、外蓋を持ち上げると、内蓋及び断熱材も同時に持ち上がるので、外蓋及び内蓋並びに断熱材を別々に取り外す必要がなく作業性に優れるとともに集塵機のメンテナンス性に優れる。
（３）内蓋の上面が伸縮された弾性体の復元力により、下側リンク部材の下面に押圧される範囲であれば、外蓋を所望の位置で固定することができ、外蓋と内蓋の間隔の調節が自由にできる。
ここで、水平弾性体保持部と弾性体支持部材の係止は水平弾性体保持部に形成されたキー溝と弾性体支持部材に形成されたキーによって行われる。
【００２６】
本発明の請求項６に記載の発明は請求項１乃至５の内何れか一項に記載の大型集塵機、または気密性を要する装置室の開口部用の蓋であって、前記外蓋の外周縁部又は外蓋縁部に当接し又は係止され前記支持枠部材又は前記側壁押圧手段若しくは隣接する前記側壁に両端が配設された部材に係合して前記側壁の上端部に前記外蓋の側縁部を押圧する外蓋引張手段を備えている構成を有している。
【００２７】
この構成により、請求項１乃至５の内何れか一項の作用に加え、以下のような作用が得られる。
（１）大型集塵機、または気密性を要する装置室の開口部用の蓋を集塵機本体等の支持枠部材に取り付ける際、外蓋引張手段により、外壁の側縁部が側壁の上端部に押圧され、連結手段により内蓋の下面の側縁部が支持枠部材の上面に押圧されているので、外蓋及び内蓋を取り付ける際の溶接作業が極めて少なく、大型集塵機、または気密性を要する装置室の開口部用の蓋の生産が従来の数分の１ででき生産性に優れるともに、溶接作業が極めて少ないので支持枠部材等の熱膨張による熱劣化が生じにくく耐久性に優れる。
ここで、外蓋引張手段としては、板状の部材の下面を外蓋の上面に当接させ該板状の部材を下方に牽引することにより該板状の部材の下面に外蓋の上面を押圧させる構成を有するもの、外蓋の側部等に係止し下方に牽引する構成を有するもの等が用いられる。
外蓋の外周縁は外蓋引張手段が当接される突起状の当接片が溶接等で固定されるか、又は外蓋の周縁部に形設されたＬ字型又は逆Ｌ字型の外蓋縁部材に引張部材を係止する係止孔を形成したものが用いられる。
【００２８】
請求項６に記載の前記外蓋引張手段が、ａ．両端が隣接する前記外蓋の前記外周縁部又は前記外蓋縁部に各々係止する引張掛止部材と、ｂ．前記引張掛止部材に穿設されたボルト挿通孔と、ｃ．前記ボルト挿通孔の下方の前記支持枠部材又は前記側壁押圧部材に穿設された雌螺子孔、又は、前記ボルト挿通孔の下方の前記支持枠部材又は前記側壁押圧部材に固定された係合ナットと、ｄ．前記ボルト挿通孔に挿入されボルト頭部が前記ボルト挿通孔に係止され先端部が前記雌螺子孔又は前記係合ナットに螺合される引張ボルトと、を備えている構成を有している場合、以下のような作用が得られる。
【００２９】
（１）大型集塵機、または気密性を要する装置室の開口部用の蓋を集塵機本体等の支持枠部材に取り付ける際、引張ボルトを係合ナットに螺合させることにより、引張掛止部材が下方へ引っ張られ、延いては外蓋も下方へ引っ張られるので、外蓋の下面と側壁の上端部との間が密閉される。また、外蓋が下方へ移動することにより連結手段が内蓋の上面を押圧するので内蓋の下面の側縁部と支持枠部材の上面が密閉される。よって、外蓋の下面の側縁部と側壁の上端部との間の密閉及び内蓋の下面の側縁部と支持枠部材の上面との密閉を同時に行うことができ作業性に優れる。
ここで、引張部材は外蓋の外周縁部に穿設された引張部材係止孔部に挿着されるか、又は外蓋の外周縁部の上面に当接して配置される。
【００３０】
請求項６に記載の前記外蓋引張手段が、ａ．両端が隣接する前記外蓋の外周縁部に各々係止する引張掛止部材と、ｂ．前記引張掛止部材に穿設されたボルト挿通孔と、ｃ．両端が隣接する前記側壁に各々係止又は固定された下側引張掛止部材と、ｄ．前記ボルト挿通孔の下方の前記下側引張掛止部材に穿設された雌螺子孔、又は、前記ボルト挿通孔の下方の前記下側引張掛止部材に固定された係合ナットと、ｅ．前記ボルト挿通孔に挿通されボルト頭部が前記ボルト挿通孔に当接され先端部が前記雌螺子孔又は前記係合ナットに螺合される引張ボルトと、を備えている構成を有している場合、以下のような作用が得られる。
【００３１】
（１）大型集塵機、または気密性を要する装置室の開口部用の蓋を集塵機本体等の支持枠部材に取り付ける際、引張ボルトを雌螺子孔又は係合ナットに螺合させることにより、引張掛止部材が下方へ引っ張られ、外蓋も下方へ引っ張られるので、外蓋の下面と側壁の上端部との間が密閉される。また、外蓋が下方へ移動することにより連結手段が内蓋の上面を押圧するので内蓋の下面の側縁部と支持枠部材の上面が密閉される。よって、外蓋の下面の側縁部と側壁の上端部との間の密閉及び内蓋の下面の側縁部と支持枠部材の上面との密閉を同時に行うことができ作業性に優れる。
ここで、引張部材は外蓋の外周縁部に穿設された引張部材係止孔部に挿着されるか、又は外蓋の外周縁部の上面に当接して配置される。
【００３２】
請求項１乃至６において、前記内蓋の長手方向の中央部が、下方に湾出して形成されている構成を有している場合、以下のような作用が得られる。
【００３３】
（１）内蓋の中央部は下方へ湾出させて形成されているので、支持枠部材に配設される際に、内蓋の隅部が連結手段によって下方へ押圧され、内蓋は弾性変形し、支持枠部材にパッキン等を介して密着するので、連結手段は少数で良く（内蓋の四隅にあれば良く）、生産性に優れる。
【００３４】
請求項１乃至６において、前記外蓋の側縁部と前記側壁の上端部との間及び／又は前記内蓋の側縁部と前記支持枠部材との間並びに／若しくは前記支持枠部材と前記被押圧部との間に介設されたパッキンを備えている構成を有している場合、以下のような作用が得られる。
【００３５】
（１）各々の部材間を密閉することができるので、断熱効果を高めることができる。
（２）所定の部材に歪みが存在していてもパッキンが該歪みに対応して変形するので、施工性に優れる。
（３）パッキンにより気密性を向上できる。
【００３６】
本発明の請求項７に記載の発明は請求項１乃至６の内何れか一項に記載の大型集塵機、または気密性を要する装置室の開口部用の蓋であって、前記断熱材が、環状に配設された前記被覆ブロックの内側に配設され耐熱性繊維で形成された繊維質断熱材からなる非被覆ブロックを備えている構成を有している。
【００３７】
この構成により、請求項１乃至６の内何れか一項の作用に加え、以下のような作用が得られる。
（１）非被覆ブロックを備えているので、耐熱性クロスの使用量を抑えることができ、大型の集塵室等の施工性を高めることができる。
（２）非被覆ブロックを備えているので、耐熱性クロスの使用量を抑えることができ、低原価で量産することができる。
（３）断熱材を断熱材収納部に収納する際は、断熱材収納部より小さい非被覆ブロックを配設し、次いで、被覆ブロックを非被覆ブロックの周囲に配設すればよいので、断熱材の収納が容易であり、断熱材の敷設作業の作業性に優れる。
（４）非被覆ブロックを備えているので、連結手段を断熱材に容易に埋設することができ、断熱作業の敷設作業の作業性に優れる。
ここで、非被覆ブロックの形状としては、矩形状や六角形状等の多角形状や円形状等が用いられる。非被覆ブロックとしては、一体型のもの、複数に分割されたもの等が用いられる。複数に分割された非被覆ブロックを用いた場合は、１ブロックあたりの大きさや重量が小さくなるので断熱材収納部に容易に収納することができ作業性に優れるので好ましい。
耐熱性繊維については、請求項１と同様のものなのでその説明を省略する。
【００３８】
【発明の実施の形態】
（実施の形態１）本発明の実施の形態１における大型集塵機、または気密性を要する装置室の開口部用の蓋について、以下図面を参照しながら説明する。
【００３９】
図１は断熱材が収納されていない状態の本発明の実施の形態１における大型集塵機、または気密性を要する装置室の開口部用の蓋の一部破断斜視図であり、図２は本発明の実施の形態１における断熱材収納部に収納される断熱材の一部破断要部斜視図であり、図３は集塵機の開口部に複数の本発明の実施の形態１における大型集塵機、または気密性を要する装置室の開口部用の蓋が架設された状態を示す斜視図であり、図４は図３のＡ−Ａ線における矢視要部断面図である。
【００４０】
図１乃至図４において、１は本発明の実施の形態１における大型集塵機、または気密性を要する装置室の開口部用の蓋、２は集塵機本体の上部の開口部に格子状に架設された断面が逆Ｕ字状のチャンネル材等の支持枠部材である。２ａは支持枠部材２の上面に長手方向と平行な中心線（以下、長手方向中心線という）に沿って溶接等で固定された複数の押圧ナット、３は支持枠部材２の上面の両側部に長手方向中心線に対して線対称に貼付された下側パッキンであり、支持枠部材２により仕切られた開口部を囲繞するように配設されている。４は上端部に後述の側壁押圧部材側に曲折された上側曲折部４ａが形成され下端部に後述の側壁押圧部材側に曲折された被押圧部４ｂが形成された側壁であり、被押圧部４ｂの下面が下側パッキン３上に配設されている。５は後述の断熱材（図２）が収納される断熱材収納部であり、各端部どうしを方形になるようにシール溶接して筒状に形成された側壁４により囲繞されている。６は断熱材収納部５の上部を囲繞するようにして上側曲折部４ａの上面に貼付された上側パッキンであり、上側曲折部４ａと後述の外蓋縁部材の下面との間を密閉する。７は断面が逆Ｕ字状に形成された側壁押圧部材であり、両下端部が隣接する大型集塵機、または気密性を要する装置室の開口部用の蓋１の側壁４の被押圧部４ｂに各々当接している。７ａは側壁押圧部材７の上壁に穿設されたナット用孔に孔部が重なるように側壁押圧部材７の上壁の下面に固定された係合ナット、８はボルト頭部が側壁押圧部材７の上壁に穿設された押圧ボルト孔７ｂに係止され先端部が押圧ナット２ａに螺合された押圧ボルトであり、押圧ボルト８を押圧ナット２ａに螺合させることにより、押圧ボルト８のボルト頭部が側壁押圧部材７を下方へ押圧し、側壁押圧部材７の下端部が側壁４の被押圧部４ｂを支持枠部材２の上面に押圧し、被押圧部４ｂの下面と支持枠部材２の上面とを下側パッキン３を介して密着させる。９は端部に立ち上がり部９ａが形成され断熱材収納部５の下方に配設された内蓋であり、支持枠部材２に載置される側縁部の下面が下側パッキン３の上面に当接している。９ｂは内蓋９の上面に固定された鋼板等からなり内蓋を補強する内蓋補強部材、１０は断熱材収納部５の上方に配設された外蓋、１０ａは外蓋１０の下面の側縁部に固定されたアングル部材からなる外蓋縁部材であり、周端が側壁４の外側に位置する。外蓋１０は外蓋縁部材１０ａの内側が上側パッキン６上に当接するように配設される。１０ｂは外蓋縁部材１０ａの下部付近に形成された引張掛止部材係止孔である。１０ｃは外蓋１０の下面に固定された鋼板からなる外蓋補強部材、１１は中心部にボルト挿通孔１１ａが形成された引張掛止部材であり、両端部が隣接する大型集塵機、または気密性を要する装置室の開口部用の蓋１の外蓋縁部材１０ａの引張掛止部材係止孔１０ｂに各々係止される。１２はボルト頭部が引張掛止部材１１のボルト挿通孔１１ａに係止され先端部が側壁押圧部材７の下面に配設された係合ナット７ａに螺合された引張ボルトである。引張ボルト１２を係合ナット７ａに螺合させることにより、外蓋縁部材１０ａ及び外蓋１０は支持枠部材２側へ押圧され外蓋縁部材１０ａの下面と側壁４の上側曲折部４ａの上面との間は上側パッキン６を介して密閉される。１３は上端部が外側縁部材１０ａの下面に固定され下端部が内蓋の上面に固定された連結手段である。
尚、引張掛止部材１１の代わりに板状の部材の下面を外蓋１０の上面に当接させ該板状の部材を引張ボルト１２で下方に牽引させることにより、該板状の部材の下面に外蓋１０の上面を押圧させる構成にしてもよい。
【００４１】
次に、本実施の形態１の大型集塵機、または気密性を要する装置室の開口部用の蓋１の連結手段１３について説明する。１４は上端部が外蓋縁部材１０ａの下面に固定され下部に螺子溝が形成された垂直弾性体保持部、１５は垂直弾性体保持部１４に環装されたバネ等の弾性体、１６は垂直弾性体保持部１４の上部に固定され弾性体１５の上端部が当接される弾性体当接部材、１７は下端部が内蓋９の上面に固定された中空体からなる棒状体挿入部であり、上端に挿入孔１７ａが穿設された挿入部蓋体１７ｃが螺合されている。挿入孔１７ａから垂直弾性体保持部１４が中程まで遊挿される。１７ｂは挿入部蓋体１７ｃの挿入孔１７ａの側縁部に凹状に形成された凹部であり、弾性体１５の下端部が当接する。尚、凹部１７ｂを設ける代わりに上面に弾性体１５を当接させる場合もある。１８は垂直弾性体保持部１４の下部の螺子溝に螺合された外径が挿入孔１７ａの内径より大きいナットからなる抜脱防止部材であり、垂直弾性体保持部１４が棒状体挿入部１７から抜脱するのを防止している。
【００４２】
次に、本実施の形態１の大型集塵機、または気密性を要する装置室の開口部用の蓋１の断熱材収納部５に収納される断熱材について説明する。図２及び図４において、１９は本実施の形態１の大型集塵機、または気密性を要する装置室の開口部用の蓋１の断熱材収納部５に収納される断熱材、２０はロックウールやガラスウール、セラミック繊維等の耐熱性繊維がバインダによる集綿形成等により形成された繊維質断熱材からなる非被覆ブロック、２１は側壁４と非被覆ブロック２０との間に非被覆ブロック２０を囲繞するようにして各々配置された被覆ブロックである。各被覆ブロック２１は、ロックウールやガラスウール、セラミック繊維等の耐熱性繊維がバインダによる集綿形成等により形成された繊維質断熱材２１ａをセラミック繊維性や高シリカ繊維性、ガラス系繊維性、アラミド繊維性等の耐熱性クロス２１ｂで被覆して形成されている。尚、断熱材１９は、内蓋９と外蓋１０とを連結手段１３で連結させる前に内蓋９上に配置される。
【００４３】
次に、本実施の形態１の大型集塵機、または気密性を要する装置室の開口部用の蓋１の断熱材の固定具について説明する。
図５（ａ）は断熱材の固定具の要部側面図であり、図５（ｂ）はその平面図である。図５において、９は内蓋、１９は断熱材、２１は被覆ブロック、２１ａは繊維質断熱材、２１ｂは断熱性クロスであり、これらは図４と同様のものなので同一の符号を付してその説明を省略する。
２２は断熱材１９を内蓋９に固定する固定具、２３は下端が内蓋９の上面に固定され上部側に雄螺子部２３ａが形成されたスタッド、２４は中央部に穿設されたスタッド挿入孔２４ａがスタッド２３の雄螺子部２３ａに挿設されている押板である。スタッド挿入孔２４ａの縁部には切り込みが形成されており、２３ａに係止し、押板２４が外れないようにしている。２４ｂは押板の両側下面に突設され断熱材１９に係止する係止片である。固定具１９により断熱材のズレを防止する。
【００４４】
以上のように構成された本発明の実施の形態１における大型集塵機、または気密性を要する装置室の開口部用の蓋の取り付け方法及び取り外し方法について、以下図面を参照しながら説明する。
（１）取り付け方法
まず、断熱材収納部５の下部を囲繞させるように、支持枠部材２の上部に下側パッキン３を貼付する。次いで、側壁４の被押圧部４ｂを下側パッキン３上に載置する。次いで、脚部の両下端部が、隣接する大型集塵機、または気密性を要する装置室の開口部用の蓋１の側壁４の被押圧部４ｂの上面に各々当接するように、側壁押圧部材７を載置する。次いで、側壁押圧部材７の押圧ボルト孔７ｂに押圧ボルト８を挿入し、押圧ナット２ａに螺合させる。これにより、側壁４が支持枠部材２上に下側パッキン３を介して立設させられるとともに、被押圧部４ｂの下面と支持枠部材２の上面との間が下側パッキン３を介して密閉される。
次いで、断熱材収納部５の上部を囲繞させるように、側壁４の上側曲折部４ａの上面に上側パッキン６を貼付する。次いで、外蓋１０，外蓋縁部材１０ａ，内蓋９，連結手段１３，断熱材１９を配設する。この際、外蓋１０に外蓋縁部材１０ａが固定され、連結手段１３が内蓋９と外蓋縁部材１０ａとを連結しているので、外蓋１０，外蓋縁部材１０ａ，内蓋９，連結手段１３，断熱材１１は一体に配設される。
次いで、隣接する大型集塵機、または気密性を要する装置室の開口部用の蓋１の外枠縁部材１０ａの引張掛止部材係止孔１０ｂに引張掛止部材１１の両端を各々挿入し、引張掛止部材１１のボルト挿通孔１１ａに引張ボルト１２を挿入し、係合ナット７ａに螺合させる。これにより、引張掛止部材１１が下方に引っ張られ、外蓋縁部材１０ａも下方に引っ張られる。これにより、外蓋縁部材１０ａの下面と上側曲折部４ａの上面との間は上側パッキン６を介して密閉される。また、外蓋縁部材１０ａが下方に移動する際に弾性体１５は収縮させられるので、弾性体１５の復元力により、棒状体挿入部１７の下端部が内蓋９の上面を下方へ押圧する。これにより、内蓋９の下面と支持枠部材２の上面との間は下側パッキン３を介して密閉される。
（２）取り外し方法
まず、引張ボルト１２を係合ナット７ａから取り外し、引張掛止部材１１を取り外す。次いで、一体に形成された外蓋１０，外蓋縁部材１０ａ，内蓋９，連結手段１３，断熱材１９を取り外し、メンテナンス等の作業を行う。
【００４５】
以上のように構成された本実施の形態１の大型集塵機、または気密性を要する装置室の開口部用の蓋によれば、以下のような作用が得られる。
（１）耐熱性クロス２１ｂを非被覆ブロック２０には被覆せず、被覆ブロック２１の繊維質断熱材２１ａに被覆しているので、従来のように、耐熱性クロスを断熱材全体に被覆するのに比べて、耐熱性クロスの使用量を抑えることができ、低原価で量産することができると共に大型の集塵機等の施工性に優れる。
（２）断熱材１９の側壁４と接する部分には耐熱性クロス２１ｂが被覆された被覆ブロック２１が配置されるので、断熱材１９が側壁との摩擦により型崩れすることがなく、耐久性に優れる。
（３）大型集塵機、または気密性を要する装置室の開口部用の蓋１を集塵機本体等に取り付ける際、押圧ボルト８を押圧ナット２ａに螺合させることにより、側壁押圧部材７が支持枠部材２に取り付けられるとともに、側壁４の被押圧部４ｂが側壁押圧部材７の下端部により押圧され、被押圧部４ｂの下面と支持枠部材２の上面との間が下側パッキン３を介して密閉されるので、側壁４を支持枠部材２に取り付ける際に溶接作業をする必要がなく、また、溶接作業を必要としないので支持枠部材２の熱膨張による歪みが生じにくく作業性に優れる。
（４）大型集塵機、または気密性を要する装置室の開口部用の蓋１を集塵機本体等に取り付ける際、引張ボルト１２を係合ナット７ａに螺合させることにより、引張掛止部材１１が下方へ引っ張られ、外蓋１０も下方へ引っ張られる。また、外蓋１０が下方へ移動することにより、連結手段１３が収縮し、弾性体１５の復元力により、連結手段１３の下端部（棒状体挿入部１７の下端部）が内蓋９の上面を下方へ押圧する。よって、外蓋縁部材１０ａの下面と上側曲折部４ａの上面との上側パッキン６を介した密閉及び内蓋９の下面と支持枠部材２の上面との下側パッキン３を介した密閉が同時に行われる。また、外蓋１０及び内蓋９並びに断熱材１９が一体に形成されているので、従来のように各々を１つづつ取り付ける必要がなく、大型集塵機、または気密性を要する装置室の開口部用の蓋１の配設作業の作業性に優れるとともに集塵機のメンテナンス性に優れる。
（５）大型集塵機、または気密性を要する装置室の開口部用の蓋１を集塵機本体から取り外す際、引張ボルト１２を係合ナット７ａから外し、外蓋１０を持ち上げることにより、連結手段１３の抜脱防止部材１８の上面が挿入部蓋体１７ｃの挿入孔１７ａの下部に係止され内蓋９及び断熱材１９も同時に持ち上がるので、外蓋１０及び内蓋９並びに断熱材１９を別々に取り外す必要がなく作業性に優れるとともに集塵機のメンテナンス性に優れる。
（６）内蓋９や外蓋１０に歪みが存在しても、該歪みに応じて連結手段１３が伸縮するので、該歪みを修正することなく取り付け可能であり、作業性に優れるとともに施工性に優れる。
（７）内蓋９の側縁部に立ち上がり部９ａを有するので、連結手段１３の下端部の押圧力による内蓋９の歪みが生じにくく耐久性に優れる。
（８）挿入部蓋体１７ｃの螺合を解くことにより、垂直弾性体保持部１４を棒状体挿入筒から抜脱することができるので、外蓋１０と内蓋９を簡単に外すことができる。
尚、本実施の形態１においては、連結手段１３を有する大型集塵機、または気密性を要する装置室の開口部用の蓋１に断熱材１９配設する場合について説明したが、連結手段を有さない大型集塵機、または気密性を要する装置室の開口部用の蓋に断熱材１９を配設する場合もある。この場合は、断熱材１９を断熱材収納部に収納する際は、断熱材収納部より小さい非被覆ブロック２０を配設し、次いで、被覆ブロック２１を非被覆ブロック２０の周囲に配設することができるので、断熱材１９の収納が容易であり、作業性に優れる。
また、本実施の形態１においては、一体型の非被覆ブロック２０を用いたが、非被覆ブロックが大型化する場合は、複数に分割された非被覆ブロックを用いる場合もある。この場合は、１ブロックあたりの大きさや重量が小さくなるので断熱材収納部に容易に収納することができ作業性に優れるので好ましい。
【００４６】
（実施の形態２）
次に、実施の形態２における連結手段について、以下図面を用いて説明する。
図６は本発明の実施の形態２における連結手段とその周辺部の要部正面図であり、図７はその側面図である。
図６及び図７において、２は支持枠部材、２ａは押圧ナット、３は下側パッキン、４は側壁、４ａは上側曲折部、４ｂは被押圧部、６は上側パッキン、７は側壁押圧部材、７ａは係合ナット、７ｂは押圧ボルト孔、８は押圧ボルト、９は内蓋、９ａは立ち上がり部、９ｂは内蓋補強部材、１０は外蓋、１０ａは外蓋縁部材、１０ｂは引張掛止部材係止孔、１０ｃは外蓋補強部材、１１は引張掛止部材、１１ａはボルト挿通孔、１２は引張ボルトであり、これらは実施の形態１と同様のものであるので同一の符号を付してその説明を省略する。尚、本実施の形態２においても実施の形態１と同様の断熱材１９を用いるが図示していない。
２５は本発明の実施の形態２における連結手段、２６は内蓋９及び外蓋１０に対して水平に配設された水平弾性体保持部、２６ａは水平弾性体保持部２６の中心部に環装された筒体、２７は水平弾性体保持部２６の両端部に固定された弾性体支持部材、２８は水平弾性体保持部２６の弾性体支持部材２７より中心側かつ筒体２６ａの両側方に摺動自在に２基配設された摺動弾性体当接部材であり、各々の弾性体支持部材２７に対向して配設されている。２８ａは摺動弾性体当接部材２８の摺動弾性体当接部材２８に固定され後述の上側リンク部材及び下側リンク部材を軸支する弾性体側軸支部、２９は外蓋１０の下面及び内蓋９の上面に固定され後述の上側リンク部材及び下側リンク部材が軸支される蓋側軸支部、３０は上端部が外蓋１０の蓋側軸支部２９に軸支され下端部が弾性体側軸支部３０ａに軸支された上側リンク部材、３１は上端部が弾性体側軸支部２８ａに軸支され下端部が内蓋９の蓋側軸支部２９に軸支された下側リンク部材である。３２は一端が弾性体支持部材２７に当接し他端が摺動弾性体当接部材２８に当接したバネ等の弾性体である。
尚、本実施の形態２における大型集塵機、または気密性を要する装置室の開口部用の蓋が実施の形態１の大型集塵機、または気密性を要する装置室の開口部用の蓋と異なる構成は連結手段の構成であり、その他の構成は実施の形態１における大型集塵機、または気密性を要する装置室の開口部用の蓋と同様である。
【００４７】
以上のように構成された本発明の実施の形態２における連結手段の動作について、以下図面を参照しながら説明する。
尚、大型集塵機、または気密性を要する装置室の開口部用の蓋の取り付け方法及び取り外し方法は実施の形態１と同様であるので、その説明を省略する。
連結手段２５が外蓋１０から下向きの力を受けると、上側リンク部材３０及び下側リンク部材３１により、摺動弾性体当接部材２８が水平弾性体保持部２６の外側方向へ摺動する。この際、弾性体３２は伸縮・復元力により下向きの力を緩和し弾性体３２が緩衝材として機能し外蓋１０の応力を吸収し変形を防ぐ。
【００４８】
以上のように構成された本発明の実施の形態２の連結手段を有する大型集塵機、または気密性を要する装置室の開口部用の蓋によれば、実施の形態１で得られる（１）乃至（３）の作用に加え、以下のような作用が得られる。
（１）大型集塵機、または気密性を要する装置室の開口部用の蓋を集塵機本体等に取り付ける際、引張ボルト１２を係合ナット７ａに螺合させることにより、連結手段２５が収縮し、弾性体３２の復元力により、連結手段２５の下端部（下側リンク部材３１が軸支された蓋側軸支部２９）が内蓋９を下方へ押圧する。よって、外蓋縁部材１０ａの下面と上側曲折部４ａの上面との上側パッキン６を介した密閉及び内蓋９の下面と支持枠部材２の上面との下側パッキン３を介した密閉が同時に行われる。また、外蓋１０及び内蓋９並びに断熱材１９が一体に形成されているので、従来のように各々を１つづつ取り付ける必要がなく、大型集塵機、または気密性を要する装置室の開口部用の蓋の配設作業の作業性に優れるとともに集塵機のメンテナンス性に優れる。
（２）大型集塵機、または気密性を要する装置室の開口部用の蓋を集塵機本体等から取り外す際、外蓋１０が、蓋側軸支部２９，上側リンク部材３０，弾性体側軸支部２８ａ，下側リンク部材３１，蓋側軸支部２９を介して、内蓋９と連結されている。これにより、外蓋１０を持ち上げると、内蓋９及び断熱材１９も同時に持ち上がるので、外蓋１０及び内蓋９並びに断熱材１９を別々に取り外す必要がなく作業性に優れるとともにメンテナンス性に優れる。
（３）内蓋９や外蓋１０に歪みが存在しても、該歪みに応じて連結手段２５が伸縮するので、該歪みを修正することなく取り付け可能であり、作業性に優れるとともに施工性に優れる。
（４）内蓋９の側縁部に立ち上がり部９ａを有するので、連結手段２５の下端部の押圧力による内蓋９の歪みが生じにくく耐久性に優れる。
【００４９】
（実施の形態３）
次に、実施の形態３における連結手段について、以下図面を参照しながら説明する。
図８は本発明の実施の形態３における連結手段とその周辺部の要部正面図である。
図８において、２は支持枠部材、２ａは押圧ナット、３は下側パッキン、４は側壁、４ａは上側曲折部、４ｂは被押圧部、６は上側パッキン、７は側壁押圧部材、７ａは係合ナット、７ｂは押圧ボルト孔、８は押圧ボルト、９は内蓋、９ａは立ち上がり部、９ｂは内蓋補強部材、１０は外蓋、１０ａは外蓋縁部材、１０ｂは引張掛止部材係止孔、１０ｃは外蓋補強部材、１１は引張掛止部材、１１ａはボルト挿通孔、１２は引張ボルトであり、これらは実施の形態１と同様のものであるので同一の符号を付してその説明を省略する。尚、本実施の形態３においても実施の形態１と同様の断熱材１９を用いるが、図示していない。
３３は上端が外蓋縁部材１０ａの下面に固定され下端が内蓋９の上面に固定された合成樹脂製や金属製の材質からなる連結ロッドであり、実施の形態３における連結手段である。実施の形態３の大型集塵機、または気密性を要する装置室の開口部用の蓋が、実施の形態１の大型集塵機、または気密性を要する装置室の開口部用の蓋と異なる点は、連結手段が連結ロッド３３から構成される点である。
尚、大型集塵機、または気密性を要する装置室の開口部用の蓋の取り付け方法及び取り外し方法は実施の形態１と同様なので、その説明を省略する。
【００５０】
以上のように構成された本実施の形態３の大型集塵機、または気密性を要する装置室の開口部用の蓋によれば、実施の形態１で得られる（１），（２）の作用に加え、以下のような作用が得られる。
（１）大型集塵機、または気密性を要する装置室の開口部用の蓋を集塵機本体から取り外す際、外蓋１０が、連結ロッド３３を介して、内蓋９と連結されている。これにより、外蓋１０を持ち上げると、内蓋９及び断熱材１９も同時に持ち上がるので、外蓋１０及び内蓋９並びに断熱材１９に対して別々に取り付け作業又は取り外し作業を行う必要がなく作業性に優れるとともに集塵機本体のメンテナンス性に優れる。
（２）連結手段の構成要素が連結ロッド３３のみであるので、生産性に優れるとともに大型集塵機、または気密性を要する装置室の開口部用の蓋のメンテナンス性に優れる。
【００５１】
（実施の形態４）
次に、実施の形態４における大型集塵機、または気密性を要する装置室の開口部用の蓋について、以下図面を参照しながら説明する。
図８は本発明の実施の形態４の大型集塵機、または気密性を要する装置室の開口部用の蓋の外蓋引張手段及び側壁押圧手段並びにその周辺部の要部正面図である。
図８において、２は支持枠部材、３は下側パッキン、４は側壁、４ａは上側曲折部、４ｂは被押圧部、６は上側パッキン、９は内蓋、９ａは立ち上がり部、１０は外蓋、１０ａは外蓋縁部材、１０ｂは引張掛止部材係止孔、１１は引張掛止部材、１１ａはボルト挿通孔、１３は連結手段、１４は垂直弾性体保持部、１５は弾性体、１６は弾性体当接部材、１７は棒状体挿入部、１７ａは挿入孔、１７ｂは凹部、１７ｃは挿入部蓋体であり、これらは実施の形態１と同様のものであるので同一の符号を付してその説明を省略する。
３４は断面がＵ字状に形成された下側引張掛止部材であり、底壁に雌螺子孔３４ａが螺設され両上端部が隣接する側壁４の上側曲折部４ａの下面に各々当接している。３５はボルト頭部が引張掛止部材１１のボルト挿通孔１１ａに係止され先端部が下側引張掛止部材３４の雌螺子孔３４ａに螺合された引張ボルトである。引張ボルト３５を雌螺子孔３４ａに螺合させることにより、外蓋縁部材１０ａ及び外蓋１０は支持枠部材２側へ引っ張られ外蓋縁部材１０ａの下面と側壁４の上側曲折部４ａの上面との間は上側パッキン６を介して密閉される。本実施の形態４における大型集塵機、または気密性を要する装置室の開口部用の蓋が実施の形態１の大型集塵機、または気密性を要する装置室の開口部用の蓋と異なる点は、外蓋引張手段と側壁押圧手段とが分離している点であり、その他の構成は実施の形態１における大型集塵機、または気密性を要する装置室の開口部用の蓋と同様である。尚、本実施の形態４においても実施の形態１と同様の断熱材１９を用いるが、図示していない。
尚、下側引張掛止部材３４に雌螺子孔３４ａを螺設する代わりに、引張ボルト３５を螺合させるナットを下側引張掛止部材３４に配設する場合もある。３６は断面が逆Ｕ字状に形成された側壁押圧部材であり、両下端部が隣接する側壁４の被押圧部４ｂの上面に各々当接している。３６ａは側壁押圧部材３６の上壁に穿設された押圧ボルト孔、３７はボルト頭部が側壁押圧部材３６の上壁に穿設された押圧ボルト孔３６ａに係止され先端部が押圧ナット２ａに螺合された押圧ボルトであり、押圧ボルト３７を押圧ナット２ａに螺合させることにより、押圧ボルト３７のボルト頭部が側壁押圧部材３６を下方へ押圧し、側壁押圧部材３６の下端部が側壁４の被押圧部４ｂを支持枠部材２の上面に押圧し、被押圧部４ｂの下面と支持枠部材２の上面は下側パッキン３を介して密閉される。
【００５２】
以上のように構成された本実施の形態４の大型集塵機、または気密性を要する装置室の開口部用の蓋によれば、実施の形態１で得られる（１），（２），（５）乃至（８）の作用に加え、以下のような作用が得られる。
（１）大型集塵機、または気密性を要する装置室の開口部用の蓋を集塵機本体等に取り付ける際、押圧ボルト３７を押圧ナット２ａに螺合させることにより、側壁押圧部材３６が支持枠部材２に取り付けられるとともに、側壁４の被押圧部４ｂが側壁押圧部材３６の下端部により押圧され、被押圧部４ｂの下面と支持枠部材２の上面との間で下側パッキン３を介して密閉されるので、側壁４を支持枠部材２に取り付ける際に溶接作業をする必要がなく、また、溶接作業を必要としないので、支持枠部材２の熱膨張による歪が生じにくく作業性に優れる。
（２）大型集塵機、または気密性を要する装置室の開口部用の蓋を集塵機本体等に取り付ける際、引張ボルト３５を下側引張掛止部材３４の雌螺子孔３４ａに螺合させることにより、引張掛止部材１１が引張ボルト３５のボルト頭部により下方に引張され引張係止部材１１の両側部により外蓋縁部材１０ａが下方に引張されるとともに、下側引張係止部材３４が上方に引張され下側引張係止部材３４の上端により側壁４の上側曲折部４ａが上側パッキン６を介して外蓋縁部材１０ａに押し付けられる。また、外蓋１０及び内蓋９並びに断熱材１９が一体に形成されているので、従来のように各々を１つづつ取り付ける必要がなく、大型集塵機、または気密性を要する装置室の開口部用の蓋１の配設作業の作業性に優れるとともに集塵機のメンテナンス性に優れる。
（３）引張ボルト３５の長さが短い（引張掛止部材１１のボルト挿通孔１１ａから下側引張掛止部材３４の雌螺子孔３４ａまでの距離が短い）ので、引張ボルト３５を容易に雌螺子孔３４ａに螺合させることができ、作業性に優れる。
【００５３】
（実施の形態５）
次に、実施の形態５における大型集塵機、または気密性を要する装置室の開口部用の蓋について、以下図面を参照しながら説明する。
図１０は本発明の実施の形態５の大型集塵機、または気密性を要する装置室の開口部用の蓋の外蓋引張手段及びその周辺部の要部正面図である。
図１０において、２は支持枠部材、６は上側パッキン、９は内蓋、９ａは立ち上がり部、１０は外蓋、１０ａは外蓋縁部材、１０ｂは引張掛止部材係止孔、１１は引張掛止部材、１１ａはボルト挿通孔、１３は連結手段、１４は垂直弾性体保持部、１５は弾性体、１６は弾性体当接部材、１７は棒状体挿入部、１７ａは挿入孔、１７ｂは凹部、１７ｃは挿入部蓋体であり、これらは実施の形態４と同様のものであるので同一の符号を付してその説明を省略する。尚、本実施の形態５においても実施の形態１と同様の断熱材１９を用いるが、図示していない。３'は内蓋９の下面と支持枠部材２の上面との間に介設された下側パッキン、３８は下側曲折部３８ａが支持枠部材２にシール溶接された側壁、３８ｂは下側引張掛止部材３４の上端部が当接し外蓋縁部材１０ａに上側パッキン６を介して密閉される上側曲折部である。
尚、本実施の形態５における大型集塵機、または気密性を要する装置室の開口部用の蓋が実施の形態４の大型集塵機、または気密性を要する装置室の開口部用の蓋と異なる点は、側壁の下端部が支持枠部材にシール溶接されている点であり、その他の構成は実施の形態４における大型集塵機、または気密性を要する装置室の開口部用の蓋と同様である。
【００５４】
以上のように構成された本実施の形態５の大型集塵機、または気密性を要する装置室の開口部用の蓋によれば、実施の形態４で得られる作用に加え、以下のような作用が得られる。
（１）側壁３８が予め支持枠部材２に固定されているので、改めて側壁を配設する必要がなく、作業性に優れる。
（２）従来の大型集塵機、または気密性を要する装置室の開口部用の蓋の支持枠部材に溶接・固定されている側壁をそのまま本実施の形態５の側壁３８として利用することができるので、生産性に優れると共に汎用性に優れる。
【００５５】
（実施の形態６）
次に、実施の形態６における大型集塵機、または気密性を要する装置室の開口部用の蓋について、以下図面を参照しながら説明する。
図１１（ａ）は本発明の実施の形態６における支持枠部材に配設される前の大型集塵機、または気密性を要する装置室の開口部用の蓋の要部側面模式図であり、図１０（ｂ）は本発明の実施の形態６における支持枠部材に配設された後の大型集塵機、または気密性を要する装置室の開口部用の蓋の要部側面模式図である。
図１１において、２は支持枠部材、１０は外蓋、１０ａは外蓋縁部材、１３は連結手段であり、これらは実施の形態１と同様のものであるので同一の符号を付して、その説明を省略する。尚、本実施の形態６においても実施の形態１乃至５と同様の側壁、外蓋引張手段、側壁押圧手段、断熱材を用いるが、図示していない。
１’は本実施の形態６における大型集塵機、または気密性を要する装置室の開口部用の蓋、３９は長手方向の中央部を下方に湾出させて形成された内蓋であり、連結手段１３の下端部が四隅に配設されている。３９ａは内蓋３９の下面に沿設された補強部材である。
大型集塵機、または気密性を要する装置室の開口部用の蓋１’は、支持枠部材２に配設される際、内蓋３９の四隅が連結手段１３によって下方へ押圧され、内蓋３９は弾性変形させられる。
本実施の形態６の大型集塵機、または気密性を要する装置室の開口部用の蓋が実施の形態１の大型集塵機、または気密性を要する装置室の開口部用の蓋と異なる点は、内蓋の中央部が下方に湾出している点と、連結手段が内蓋の四隅のみに配設されている点であり、その他の構成は実施の形態１における大型集塵機、または気密性を要する装置室の開口部用の蓋と同様である。
【００５６】
以上のように構成された本実施の形態６の大型集塵機、または気密性を要する装置室の開口部用の蓋によれば、実施の形態１で得られる作用に加え、以下のような作用が得られる。
（１）内蓋３９の中央部は下方へ湾出させて形成されているので、支持枠部材２に配設される際に、内蓋３９の隅部が連結手段１３によって下方へ押圧され、内蓋３９は弾性変形し、支持枠部材２にパッキン（図示せず）等を介して密着するので、連結手段１３は少数で良く（内蓋３９の四隅にあれば良く）、生産性に優れる。
【００５７】
【発明の効果】
以上のように本発明の大型集塵機、または気密性を要する装置室の開口部用の蓋によれば、以下のような有利な効果が得られる。請求項１に記載の発明によれば、以下の効果を有する。
（１）断熱材の側壁と接する部分には耐熱性クロスに被覆された被覆ブロックが配置されるので、断熱材が側壁との摩擦により型崩れすることがなく、耐久性に優れる。
（２）断熱材を断熱材収納部に収納する際は、環状に被覆ブロックを配設し、その内側に繊維質断熱材を配設すれば良いので、断熱材の収納が容易であり、施工性に優れる。
【００５８】
請求項２に記載の発明によれば、請求項１の効果に加え、以下の効果を有する。
（１）大型集塵機、または気密性を要する装置室の開口部用の蓋を集塵機本体等に取り付ける際、側壁押圧手段により、側壁の下端部が支持枠部材の上面に押圧されているので、側壁を取り付ける際の溶接作業が極めて少なく、大型集塵機、または気密性を要する装置室の開口部用の蓋の生産が従来の数分の１ででき生産性に優れるともに、溶接作業が極めて少ないので支持枠部材等の熱膨張による熱劣化が生じにくく耐久性に優れる。
（２）外蓋と内蓋が連結手段により連結されているので、外蓋，内蓋，断熱材を同時に取り付ける又は取り外すことができるので、開蓋閉蓋作業の作業性に優れるとともに、集塵機本体等のメンテナンス時の工期を著しく削減できメンテナンス性に優れる。
【００６０】
請求項３に記載の発明によれば、以下の効果を有する。
（１）断熱材の側壁と接する部分には耐熱性クロスに被覆された被覆ブロックが配置されるので、断熱材が側壁との摩擦により型崩れすることがなく、耐久性に優れる。
（２）断熱材を断熱材収納部に収納する際は、環状に被覆ブロックを配設し、その内側に繊維質断熱材を配設すれば良いので、断熱材の収納が容易であり、施工性に優れる。
（３）側壁が予め支持枠部材に固定されているので、改めて側壁を配設する必要がなく、作業性に優れる。
（４）従来の大型集塵機、または気密性を要する装置室の開口部用の蓋の支持枠部材に溶接・固定されている側壁をそのまま利用することができるので、生産性に優れると共に汎用性に優れる。
【００６１】
請求項４に記載の発明によれば、請求項３の効果に加え、以下の効果を有する。
（１）外蓋と内蓋が連結手段により連結されているので、外蓋，内蓋，断熱材を同時に取り付ける又は取り外すことができるので、開蓋閉蓋作業の作業性に優れるとともに、集塵機本体等のメンテナンス時の工期を著しく削減できメンテナンス性に優れる。
【００６２】
請求項５に記載の発明によれば、請求項２又は４の効果に加え、以下の効果を有する。
（１）連結手段の構成部材が連結ロッドである場合、大型集塵機、または気密性を要する装置室の開口部用の蓋のメンテナンス性に優れるとともに生産性に優れる。
（２）連結手段の構成部材が連結ロッドである場合、断熱材の取り換え作業の作業性に優れる。
（３）連結手段が、弾性体を有する弾性連結機構である場合、大型集塵機、または気密性を要する装置室の開口部用の蓋を集塵機本体に取り付ける際、外蓋引張手段により外蓋を下方へ押圧することにより、外蓋は下方へ移動する。外蓋が下方へ移動することにより、弾性連結機構は伸縮させられる。伸縮させられた弾性連結機構の下端部が弾性体の復元力により内蓋の上面を押圧し、内蓋の下面と支持枠部材の上面が密閉される。よって、外蓋が外蓋引張手段により下方へ押圧されることにより、側壁の上端部と外蓋の下面の側縁部との密閉及び内蓋の下面の側縁部と支持枠部材の上面との密閉を同時にすることができるので、開蓋閉蓋作業の作業性に優れる。
（４）外蓋と内蓋が弾性連結機構により連結されている場合、外蓋，内蓋，断熱材を同時に取り付ける又は取り外すことができるので、開蓋閉蓋作業の作業性に優れるとともに、集塵機のメンテナンス性に優れる。
【００６６】
請求項６に記載の発明によれば、請求項１乃至５の内何れか一項の効果に加え、以下の効果を有する。
（１）大型集塵機、または気密性を要する装置室の開口部用の蓋を集塵機本体等の支持枠部材に取り付ける際、外蓋引張手段により、外壁の側縁部が側壁の上端部に押圧され、連結手段により内蓋の下面の側縁部が支持枠部材の上面に押圧されているので、外蓋及び内蓋を取り付ける際の溶接作業が極めて少なく、大型集塵機、または気密性を要する装置室の開口部用の蓋の生産が従来の数分の１ででき生産性に優れるともに、溶接作業が極めて少ないので支持枠部材等の熱膨張による熱劣化が生じにくく耐久性に優れる。
【００７１】
請求項７に記載の発明によれば、請求項１乃至６の内何れか一項の効果に加え、以下の効果を有する。
（１）非被覆ブロックを備えているので、耐熱性クロスの使用量を抑えることができ、大型の集塵室等の施工性を高めることができる。
（２）非被覆ブロックを備えているので、耐熱性クロスの使用量を抑えることができ、低原価で量産することができる。
（３）断熱材を断熱材収納部に収納する際は、断熱材収納部より小さい非被覆ブロックを配設し、次いで、被覆ブロックを非被覆ブロックの周囲に配設すればよいので、断熱材の収納が容易であり、断熱材の敷設作業の作業性に優れる。
（４）非被覆ブロックを備えているので、連結手段を断熱材に容易に埋設することができ、断熱作業の敷設作業の作業性に優れる。
【００７２】
【図面の簡単な説明】
【図１】  断熱材が配設されていない状態の本発明の実施の形態１における大型集塵機、または気密性を要する装置室の開口部用の蓋の一部破断要部斜視図
【図２】  本発明の実施の形態１における断熱材収納部に収納される断熱材の一部破断要部斜視図
【図３】  集塵機の開口部に複数の本発明の実施の形態１における大型集塵機、または気密性を要する装置室の開口部用の蓋が敷設された状態を示す要部斜視図
【図４】  図３のＡ−Ａ線における矢視要部断面図
【図５】（ａ）断熱材の固定具の要部側面図
（ｂ）断熱材の固定具の要部平面図
【図６】  本発明の実施の形態２における連結手段とその周辺部の要部正面図
【図７】  本発明の実施の形態２における連結手段とその周辺部の要部側面図
【図８】  本発明の実施の形態３における連結手段とその周辺部の要部側面図
【図９】  本発明の実施の形態４の大型集塵機、または気密性を要する装置室の開口部用の蓋の外蓋引張手段及び側壁押圧手段並びにその周辺部の要部正面図
【図１０】  本発明の実施の形態５の大型集塵機、または気密性を要する装置室の開口部用の蓋の外蓋引張手及びその周辺部の要部正面図
【図１１】  （ａ）本発明の実施の形態６における支持枠部材に配設される前の大型集塵機、または気密性を要する装置室の開口部用の蓋の要部側面模式図
（ｂ）本発明の実施の形態６における支持枠部材に配設された後の大型集塵機、または気密性を要する装置室の開口部用の蓋の要部側面模式図
【図１２】  断熱材が配設されていない状態の従来の集塵機用蓋の一部破断斜視図
【図１３】  断熱材収納部に配設される断熱材の一部破段要部斜視図
【図１４】  集塵機の開口部に複数の従来の集塵機用蓋が敷設された状態を示す要部斜視図
【図１５】  図１４のＢ−Ｂ線における矢視要部断面図
【符号の説明】
１，１’  大型集塵機、または気密性を要する装置室の開口部用の蓋
２  支持枠部材
２ａ  押圧ナット
３，３’  下側パッキン
４  側壁
４ａ  上側曲折部
４ｂ  被押圧部
５  断熱材収納部
６  上側パッキン
７  側壁押圧部材
７ａ  係合ナット
７ｂ  押圧ボルト孔
８  押圧ボルト
９  内蓋
９ａ  立ち上がり部
９ｂ  内蓋補強部材
１０  外蓋
１０ａ  外蓋縁部材
１０ｂ  引張掛止部材係止孔
１０ｃ  外蓋補強部材
１１  引張掛止部材
１１ａ  ボルト挿通孔
１２  引張ボルト
１３  連結手段
１４  垂直弾性体保持部
１５  弾性体
１６  弾性体当接部材
１７  棒状体挿入部
１７ａ  挿入孔
１７ｂ  凹部
１７ｃ  挿入部蓋体
１８  抜脱防止部材
１９  断熱材
２０  非被覆ブロック
２１  被覆ブロック
２１ａ  繊維質断熱材
２１ｂ  断熱性クロス
２２  固定具
２３  スタッド
２３ａ  雄螺子部
２４  押板
２４ａ  スタッド挿入孔
２４ｂ  係止片
２５  連結手段
２６  水平弾性体保持部
２６ａ  筒体
２７  弾性体支持部材
２８  摺動弾性体当接部材
２８ａ  弾性体側軸支部
２９  蓋側軸支部
３０  上側リンク部材
３１  下側リンク部材
３２  弾性体
３３  連結ロッド
３４  下側引張掛止部材
３４ａ  雌螺子孔
３５  引張ボルト
３６  側壁押圧部材
３６ａ  押圧ボルト孔
３７  押圧ボルト
３８  側壁
３８ａ  下側曲折部
３８ｂ  上側曲折部
３９  内蓋
３９ａ  補強部材
５０  従来の集塵機用蓋
５１  支持枠部材
５２  側壁
５２ａ  パッキン保持溝
５２ｂ  曲折部
５３  断熱材収納部
５４ａ  上側パッキン
５４ｂ  下側パッキン
５５  内蓋
５６ａ  ボルト
５６ｂ  ナット
５７  外蓋
５７ａ  外蓋縁部材
５７ｂ  外蓋補強部材
５８  ボルト頭部係止部材
５９  押圧部材
６０ａ  引張ボルト
６０ｂ  係合ナット
６１  断熱材
【図１】
0003704291.tif 000002
【図２】
0003704291.tif 000003
【図３】
0003704291.tif 000004
【図４】
0003704291.tif 000005
【図５】
0003704291.tif 000006
【図６】
0003704291.tif 000007
【図７】
0003704291.tif 000008
【図８】
0003704291.tif 000009
【図９】
0003704291.tif 000010
【図１０】
0003704291.tif 000011
【図１１】
0003704291.tif 000012
【図１２】
0003704291.tif 000013
【図１３】
0003704291.tif 000014
【図１４】
0003704291.tif 000015
【図１５】
0003704291.tif 000016